(57)【要約】  ベルト引込み機構（２００）は、巻きつけられたベルト（３００）を有しベルト（３００）を引き込むように付勢される付勢スプール（２１０）と、スプール（２１０）を引き込みの方向に回転させることを防止するための歯止めおよび爪車機構と、係合表面を有し前記係合表面がベルト（３００）に係合し、それによってベルト（３００）の移動を防ぐ係合位置に付勢され、および開位置に移動可能である付勢カム部材と、開設定と閉設定の間で移動可能であり、前記歯止めおよび爪車機構を解放し、さらに前記カム部材を前記係合位置から前記開位置に移動させ、それによってベルト（３００）を移動可能にさせるように前記開設定に手動で操作することができる作動装置（２４０）と、を備える。
2007511406.tif 000002
【特許請求の範囲】
【請求項１】
巻きつけられたベルトを有し、前記ベルトを引き込むように付勢される付勢スプールと、
前記スプールを引き込みの方向に回転させることを防止するための歯止めおよび爪車機構と、
係合表面を有し、前記係合表面が前記ベルトに係合し、それによって前記ベルトの移動を防ぐ係合位置に付勢され、および開位置に移動可能である付勢カム部材と、
開設定と閉設定の間で移動可能であり、前記歯止めおよび爪車機構を解放し、さらに前記カム部材を前記係合位置から前記開位置に移動させ、それによって前記ベルトを移動可能にさせるように前記開設定に手動で操作することができる作動装置と、
を備えるベルト引込み機構。
【請求項２】
前記作動装置を前記開設定から前記閉設定に作動させたとき、前記歯止めおよび爪車機構が再係合し、それによって、前記スプールの回転が防止される、請求項１に記載のベルト引込み機構。
【請求項３】
前記作動装置を前記開設定から前記閉設定に作動させたとき、前記カム部材が、前記開位置から前記係合位置に移動する、請求項１または２に記載のベルト引込み機構。
【請求項４】
前記作動装置が、前記作動装置の解放時に、前記作動装置を前記開設定から前記閉設定に付勢するための付勢手段を備える、請求項１〜３のいずれか一項に記載のベルト引込み機構。
【請求項５】
前記カム部材が回転可能であり、前記作動装置に隣接するカム・アームを備え、前記カム・アームが前記係合表面に対して反対側端部に配置され、前記作動装置を前記閉設定から前記開設定に移動させたとき、前記カム部材が、係合位置から開位置に回転させられる、請求項１〜４のいずれか一項に記載のベルト引込み機構。
【請求項６】
前記係合表面が、前記係合表面と引入れ口表面の間の前記ベルトをしっかり締め付けることによって前記ベルトに係合し、前記引入れ口表面が、前記ベルトが引き込まれる前記シート・ベルト引込み機構用の引入れ口の一部を形成する、請求項５に記載のベルト引込み機構。
【請求項７】
前記作動装置が前記閉設定にあるとき、前記ベルトの引き込みにより、前記カム部材が回転して、前記係合表面と前記引入れ口表面の間の距離を減少させ、それによって前記ベルトがさらにきつく締め付けられる、請求項６に記載のベルト引込み機構。
【請求項８】
前記係合表面が、前記ベルトに係合するためのいくつかの隆起物または歯を備える、請求項１〜７のいずれか一項に記載のベルト引込み機構。
【請求項９】
前記作動装置が、前記カム・アームに対して作用するとき、前記作動装置の移動を導くために実質的に線形の溝内に保持される、請求項１〜８のいずれか一項に記載のベルト引込み機構。
【請求項１０】
前記作動装置が、前記歯止めおよび爪車機構の前記歯止めをさらに備える、請求項１〜９のいずれか一項に記載のベルト引込み機構。
【請求項１１】
前記作動装置および前記歯止めが単体構造である、請求項１０に記載のベルト引込み機構。
【請求項１２】
前記作動装置がさらにハンドルを備え、前記ハンドルが、前記ベルトが引き込まれる前記ベルト引込み機構の前記引入れ口と実質的に反対側の位置から操作することができるように配置される、請求項６〜１１のいずれか一項に記載のベルト引込み機構。
【発明の詳細な説明】
【技術分野】
【０００１】
本発明は、ベルト引込み機構に関する。ある特定の形態では、本発明は、子供の拘束シート用のシート・ベルト引込み機構に関する。
【背景技術】
【０００２】
現状のシート・ベルト引込み機構は、通常、関連づけられた爪車および歯止め装置と組み合わせたばね仕掛けのスプールの組合せ体を含んでいる。この歯止めは、爪車の歯に係合し、それによって、スプールの回転を防止するために、ばね仕掛けとなっている。しかし、この標準的な爪車および歯止め装置は重大な欠点を持つ。これは、ベルトを反時計回りの方向（曲線状の矢印の方向）に引き込むように付勢されたスプール１１０を有するシート・ベルト・リトラクタ１００を示す図１を検討することによって、もっともよく説明される。爪車１１５の歯１２０は、第１の全体的に表側の垂直表面１２１と裏側の傾斜した表面１２２を備える。ベルトがリトラクタ１００から引き出された場合には（直線状の矢印の方向）、歯止め１３０は、垂直表面１２１に当接し、したがって、ベルトがリトラクタ１００からのどんな動きに対しても固定される。
【０００３】
操作時、歯止め１３０は、先ず、作動装置によって、爪車１１５から解放され、したがって、スプール１１０が回転し、ベルトをスプール１１０からぴんと張って移動させることが可能になる。ベルトを、子供に、多くの場合他の異なるベルトおよび／またはバックル部分と組み合わせて装着した後、ベルトはぴんと張って引っ込み、歯止め１３０が爪車１１５と再係合することが可能になり、したがって、子供は適切に拘束される。しかし、歯止め１３０は、歯１２０の２つの隣接した垂直表面１２１の間にある中間の裏側の傾斜した表面１２２と係合することがしばしばある。したがって、リトラクタからベルトを引き出したとき、スプール１１０が時計回りに動き、遂には、歯止め１３０が次の垂直表面１２１に確実に係合し、それに当接する。これは、リトラクタ１００から移動してから、歯止め１３０および爪車１１５機構がベルトを固定するベルトがある量存在するということを示す。
【０００４】
スプール１１０の急な時計回りの方向は事故の徴候なので、子供の運動量がリトラクタ１００からベルトを移動させるように作用する場合、余分なベルトの移動の量が拘束を緩め、その結果、場合によっては、危険な、また安全でない状況をもたらす。
【発明の開示】
【発明が解決しようとする課題】
【０００５】
改良されたベルト固定を可能にするベルト引込み機構を提供することが本発明の目的である。
【課題を解決するための手段】
【０００６】
したがって、ある態様では、本発明は、
巻きつけられたベルトを有し、前記ベルトを引き込むように付勢される付勢スプールと、
前記スプールを引き込みの方向に回転させることを防止するための歯止めおよび爪車機構と、
係合表面を有し、前記係合表面が前記ベルトに係合し、それによって前記ベルトの移動を防ぐ係合位置に付勢され、および開位置に移動可能である付勢カム部材と、
開設定と閉設定の間で移動可能であり、前記歯止めおよび爪車機構を解放し、さらに前記カム部材を前記係合位置から前記開位置に移動させ、それによって前記ベルトを移動可能にさせるように前記開設定に手動で操作することができる作動装置と、
を備えるベルト引込み機構を提供する。
【０００７】
ベルトを適所で固定する係合表面を備える付勢カム部材を、スプールの回転を防止する歯止めおよび爪車機構と組み合わせると、歯止めおよび爪車が係合され、カム部材が係合位置にあるとき、ベルトを所定の位置で固定する効果的な固定機構が提供できる。これらの機能を、個々の固定手段の両方を解放するように機能する作動装置と組み合わせると、さらに便利かつ容易に使えるベルト引込み機構をもたらす。
【０００８】
好ましくは、前記作動装置が前記開設定から前記閉設定に作動するとき、前記歯止めおよび爪車機構は再係合し、それによって、前記スプールの回転が防止される。
【０００９】
これにより、ベルトを解放するために使用される同一の作動装置が、歯止めおよび爪車機構を再係合するためにも使用されるので、シート・ベルト引込み機構を所定の位置で固定する動作がさらに簡単になる。
【００１０】
好ましくは、前記作動装置を、前記開設定から前記閉設定に作動させたとき、前記カム部材が、前記開位置から前記係合位置に移動する。
【００１１】
この場合も、これにより、やはり、１つの作動装置を使用して、ベルトを所定の位置に完全に固定することも、ベルトを解放することもできるので、シート・ベルト引込み機構の操作が大幅に簡単になる。
【００１２】
好ましくは、前記作動装置が、前記作動装置の解放時に、前記作動装置を前記開設定から前記閉設定に付勢するための付勢手段を備える。これにより、作動装置が閉設定に付勢されて、ベルトが、既定状態で、所定の位置に固定されたままとなることを保証するので、ベルト引込み機構の安全性が改善される。
【００１３】
好ましくは、前記カム部材が回転可能であり、前記作動装置に隣接するカム・アームを備え、前記カム・アームが前記係合表面に対して反対側端部に配置され、前記作動装置を前記閉設定から前記開設定に移動させたとき、前記カム部材が、係合位置から開位置に回転させられる。
【００１４】
カム・アームを作動装置と直接接触させることによって、作動装置の動作を、簡単かつ効果的な方法で用いて、カム部材の位置を変化させることができる。
【００１５】
好ましくは、前記係合表面が、前記係合表面と引入れ口表面の間で前記ベルトをしっかり締め付けることによって、前記ベルトに係合し、前記引入れ口表面が、前記ベルトが引き込まれる前記シート・ベルト引込み機構用の引入れ口の一部を形成する。
【００１６】
好ましくは、前記作動装置が前記閉設定にあるとき、前記ベルトの引き込みにより、前記カム部材が回転して、前記係合表面と前記引入れ口表面の間の距離が減少し、それによって、前記ベルトがさらにきつく締め付けられる。これにより、事故のときに直面するようなベルトのどんな急な引き込みでも、ベルトをより大きな力で固定させることになるので、ベルト引込み機構の安全面がさらに向上する。
【００１７】
好ましくは、前記係合表面が、前記ベルトに係合するためのいくつかの隆起物または歯を備える。
【００１８】
好ましくは、前記作動装置が、前記カム・アームに対して作用するとき、前記作動装置の動作を導くために実質的に線形の溝内に保持される。
【００１９】
好ましくは、前記作動装置が、前記歯止めおよび爪車機構の歯止めをさらに備える。
【００２０】
好ましくは、前記作動装置および前記歯止めが単体構造である。
【００２１】
好ましくは、前記作動装置がさらにハンドルを備え、前記ハンドルが、前記ベルトが引き込まれる前記ベルト引込み機構の前記引入れ口と実質的に反対側の位置から操作することができるように配置される。ハンドルを引入れ口とは反対側に配置することによって、片方の手を用いて、ベルトをベルト引込み機構から引っ張ることができ、その間、もう一方の手は、便利かつ人間工学的な位置にあるハンドルを操作する。
【００２２】
本発明の好ましい一実施形態を、以下の添付図面を参照して検討する。
【発明を実施するための最良の形態】
【００２３】
以下の説明では、図面のいくつかの図を通して、同じまたは対応する部品を、同じ参照符号で示す。
【００２４】
次に図２および図３を参照すると、本発明の好ましい一実施形態によるベルト引込み機構２００が示されている。この実施形態は、チャイルド・シートまたは安全シートのハーネスに直接適用できるが、本発明は、容易に、座席用の安全ベルトなどの固定可能なベルト引込み機構が必要とされ、または商品を積み込むとき固定するためにベルトが使用される他の状況に適用することができる。
【００２５】
ベルト引込み機構２００は、ベルト３００がその上に巻きつけられたスプール２１０を備える。スプール２１０は、図３に示すように反時計回りの方向に回転力を加え、それによって、スプール２１０が解放されたときベルト３００を引入れ口２７０中に引き込むぜんまいばね２１２によって、ばね仕掛けとなっている。さらに、スプール２１０に付勢をかけてベルト３００を引き込むねじりコイルばねなどの他のばね装置、または弾性帯装置でさえも、本発明の範囲内となるように意図される。さらにベルト３００をしっかり締めるために、シャフト（図示せず）を、六角ナット２１３に係合するように取り付け、それによって、スプールの手動回転が可能になり、ベルト３００をしっかり締めることができる。
【００２６】
ベルト引込み機構２００は、ハウジング２６０の両側に配置された溝２６２内で滑動する突起部２４３によって、ハウジング２６０内に取り付けられた作動装置２４０をさらに備える。作動装置２４０には、溝２６２に沿って、作動装置２４０を移動させるように働くハンドル２５０が取り付けられる。
【００２７】
次に図４を参照すると、作動装置２４０は、ある位置で爪車２１１の歯と係合する歯止め２４１も備えており、爪車２１１の歯は、スプール２１０の一方の側に配置され、スプール２１０上のベルト３００の引き込みを阻止するように配置されている。作動装置２４０には、溝２４２で、コイルばね２８０が取り付けられ、コイルばね２８０のもう一方の端部は、ハウジング・カバー２９０に、取付け部２９１で取り付けられる。コイルばね２８０は、歯止め２４１を爪車の歯２１１との係合状態へ付勢するように作用する。作動装置２４０と隣接するのは、アーム部分２２２および締付力を改善するために複数の歯または隆起物を備えるカム係合表面２２１からなる回転可能なカム部材２２０である。カム部材２２０は、カム部材２２０をハウジング２６０に取り付けるボルト２２４によって画定される軸の周りを回転可能である。
【００２８】
図４に示されているように、カム部材２２０を時計回りの方向に回転させると、カム係合表面２２１がベルト３００に押し付けられる。ベルト３００に加えられる引出し力により、カム係合表面２２１は、ベルト３００をしっかり締め付け、カム係合表面２２１をさらに時計回りの方向に押しやり、それによって、ベルト３００が、カム係合表面２２１と底部表面２７１の間に押し付けられる。これによってベルト３００の引き出しが防止される。
【００２９】
コイルばね２３０は、アーム部分２２２の上部リップ部２２３に取り付けられ、その反対側の端部が、ハウジング２６０内の溝２６１に取り付けられる。コイルばね２３０は、作動装置２４０がカム部材２２０を解放するように作用しているとき、作動装置２４０に対してカム部材２２０を付勢するように、しかも作動装置２４０とカム部材２２０の間に遊びがあるとき、さらにカム係合表面２２１をベルト３００に押し付けて保持して、どんな引出し力でも加えられるとすぐにベルトの締め付けが生じることを保証するように作用する。当業者に明らであるように、コイルばね２３０の代わりに、他の付勢手段も使用できることは明白である。
【００３０】
次に図４および図５を参照すると、操作時、ハンドル２５０が、ハウジング２６０に向かって押されると、作動装置２４０は、溝２６２に沿って、両方のコイルばね２３０、２８０の付勢作用に対抗して滑動し、それによって、爪車２１１から歯止め２４１が解放され、さらにカム部材２２０が回転し、その結果、カム係合表面２２１がベルト３００から離れて移動し、それによってベルト３００が解放される。歯止め２４１が、もはやスプール２１０の回転を防止していないので、しかもベルト３００が、カム係合表面２２１と底部表面２７１の間を自由に動くことができるので、ベルト３００は、ぜんまいばね２１２の動作により引き込められる。ベルト３００を、引き出し、それによって、ぜんまいばね２１２に張力をかけることもできる。ハンドル２５０の解放時、コイルばね２３０の作用を受けた、しかも作動装置２４０からの対抗する力が全くないカム部材２２０は、係合表面２２１が、ベルト３００をしっかり締め付けて移動を防ぐ係合位置に戻る。さらに、歯止め２４１を備える作動装置２４０は、スプール２１０に向かって溝２６２に沿って引っ張られて、爪車の歯２１１と係合しようとする。
【００３１】
カム部材２２０が係合位置に移動したとき、ベルト３００の引込力により、カム部材２２０は、実質的に即座にベルト３００を締め付ける。しかし、引込力が加えられない場合、スプール２１０内のぜんまいばね２１２は、反時計回りの方向に回転するのに十分な力を有しており（図４に示されているように）、遂には、歯止め２４１が次の爪車の歯２１１と係合する。カム部材２２０に対してこの方向にベルト３００を引っ張ると、カム部材２２０を解放するように作用し、それによって、スプールの回転が爪車２１１によって阻止されまで、ベルト３００のさらなる引き込みが可能になり、またはハーネスが安全シートの乗員に密着する。いったん作動装置２４０が解放されると、カム部材２２０の回転により、ベルト引込み機構２００からのベルト３００のどんな強制的な移動にも起因して全負荷が得られる。
【００３２】
他の実施形態では、より大きな力をカム部材２２０に加えて、カム部材２２０をベルト３００とのさらなる積極的係合状態に押しやり、その結果、ベルト３００の引込力によって必要とされるカム部材２２０のさらなる移動なしで、ベルトの締め付けが素早く行われるためのその他の付勢手段を備えることができる。
【００３３】
当業者に明らかなように、ベルト引込み機構２００は、従来技術に対して実質的な利点を備えている。カム部材２２０によって、固定機能が実施されるので、従来技術の歯止めおよび爪車機構の欠点に実質的に対処されている。
【００３４】
本発明は、ベルトをその引き出した位置に保持する利点を有する。例えば、作動装置２４０が操作させられ、安全シートのハーネスを伸ばすためにベルト３００が引き出された場合、ハーネスおよびベルト３００は、作動装置２４０が解放されたときの伸長位置にとどまる。というのは歯止め２４１が、スプール２１０の引き込み方向への回転を防止する爪車の歯２１１に係合するからである。ベルト３００およびハーネスは、作動装置２４０が再び操作させられると同時に引っ込む。
【００３５】
代替実施形態では、歯止め２４１および爪車２１１は、作動装置２４０およびスプール２１０から削除することができる。これによって積極的な引込力が常にベルト３００に加えられることになり、さらなる締付力を手動でスプール２１０に加えることが可能となる。例えば、外部ハンドルを備えるスプール２１０に取り付けられた、またはそれと係合可能なシャフトを使用すると、ベルト３００をさらに引き込み、安全シートのハーネスの引張力を最大にすることができる。ベルト３００は、この方向に移動するとき、カム部材２２０を通り過ぎて自由に移動する。
【００３６】
以上本発明の好ましい一実施形態を上記の詳細な説明において開示してきたが、本発明は、開示された実施形態には限定されず、添付の特許請求の範囲によって記載され、定義された本発明の範囲から逸脱せずに、多数の再配列、改変、および置換が可能であることが理解されよう。
【図面の簡単な説明】
【００３７】
【図１】シート・ベルト引込み装置内で使用されるような従来技術の歯止めおよび爪車機構の側面図である。
【図２】本発明の好ましい一実施形態による、ハウジング・カバーのないベルト引込み機構の第１の上部側面斜視図である。
【図３】図２に示したベルト引込み機構の第２の上部側面斜視図である。
【図４】図２に示したハウジング・カバーを備える、係合位置におけるベルト引込み機構の側断面図である。
【図５】図４に示した、開位置におけるべルト引込み機構の側断面図である。
【図１】
2007511406.tif 000003
【図２】
2007511406.tif 000004
【図３】
2007511406.tif 000005
【図４】
2007511406.tif 000006
【図５】
2007511406.tif 000007
【国際調査報告】
2007511406.tif 000008
2007511406.tif 000009